(57)【要約】【課題】  バーコード状のマークを記録する方法において、バーコード状のマークの書始め部分の形状の拡大を防止し、望み通りの形状を有するバーコード状のマークを記録する方法を提供する。【解決手段】  バーストカッティングエリアを有する光ディスクを回転させながら記録用レーザ光を照射して、前記バーストカッティングエリアに前記光ディスクの半径方向に延在するバーコード状のマークを記録する方法において、バーコード状のマークの記録開始時の記録用レーザ光の照射エネルギーを、該マークの記録中の記録用レーザ光の照射エネルギーよりも小さくすることを特徴とする。【選択図】  図６
2010015637.tif 000002
【特許請求の範囲】
【請求項１】
バーストカッティングエリアを有する光ディスクを回転させながら記録用レーザ光を照射して、前記バーストカッティングエリアに前記光ディスクの半径方向に延在するバーコード状のマークを記録する方法において、バーコード状のマークの記録開始時の記録用レーザ光の照射エネルギーを、該マークの記録中の記録用レーザ光の照射エネルギーよりも小さくすることを特徴とする光ディスクへのバーコード状マークの記録方法。
【請求項２】
記録用レーザ光の照射エネルギーを記録開始時から段階的に大きくしていくことを特徴とする請求項１に記載の光ディスクへのバーコード状マークの記録方法。
【請求項３】
バーストカッティングエリアを有しており、該バーストカッティングエリアにバーコード状のマークが形成されている光ディスクにおいて、前記マークは、記録開始時の記録用レーザ光の照射エネルギーを、記録中の記録用レーザ光の照射エネルギーよりも小さくして形成されていることを特徴とする光ディスク。
【発明の詳細な説明】
【技術分野】
【０００１】
本発明は、光ディスクへのＢＣＡマークの記録方法に関し、より具体的には、バーストカットエリアを有する光ディスクを回転させながら記録用レーザ光を照射して、前記バーストカットエリアに前記光ディスクの半径方向に延在するバーコード状のマークを記録する方法に関する。また、その記録方法によって形成された光ディスクに関する。
【背景技術】
【０００２】
従来、光ディスクにおいては、製造保管又は流通販売の管理上、個々のディスク毎にシリアル番号やロット番号などの管理情報を、バーコード化して光ディスク上に記録し、正規の製造者もしくは販売者の光ディスクであるか否かを識別する手法などに用いられている。具体的には、光ディスクの最内周に設けられたバースト  カッティング  エリア（Ｂｕｒｓｔ  Ｃｕｔｔｉｎｇ  Ａｒｅａ）の記録層に、バーコード状にマーク（以下、「ＢＣＡマーク」と称する。）を記録し、光ディスクを再生するドライブに備えられた光ヘッドでＢＣＡマークを読み取るものである。
【０００３】
現在、光ディスクは、ＣＤからＤＶＤ、さらにＨＤ  ＤＶＤやブルーレイディスクと、より高密度なディスクが開発されている。その一方で、光ディスクドライブ、プレーヤ、レコーダは、これらの各種ディスクの再生互換性が求められており、これらの光ディスクを識別する必要がある。そのひとつの手段として、ディスク固有の情報をＢＣＡマークとして設ける方法がある。さらに、ＢＣＡマークの一部を利用して情報の不正なコピー防止をすることも行われている。このように、光ディスクにおいて、ＢＣＡマークは、ますます重要で必須のものとなっている。
【０００４】
このようなバーコード状のＢＣＡマークは、光ディスクの半径方向に沿って延在しており、光ディスクの製造段階で、具体的には、例えば、ＤＶＤ−ＲＯＭの場合であれば、ＹＡＧレーザ等で反射層である金属薄膜を溶融除去して形成される。しかしながら、例えばＤＶＤ−Ｒのような記録可能な光ディスクにレーザ光を用いてバーコード状のマークを形成する場合においては、種々の課題があり、そのための解決方法が提案されている。
【０００５】
例えば、特許文献１では次のようなことが書かれている。ＢＣＡマークに用いられるバーコード情報の記録作業を能率よく行うために、光情報記録媒体の回転数を高くすると同時にレーザ光のパルス周波数を高くすることにより、光情報記録媒体１枚当たりの記録に要する時間を短くすることが考えられる。しかし、レーザ光のパルス周波数が高くなると、個々のレーザ光のパルスの強さにバラツキが発生し、形成されるバーコード情報の個々の線部の太さや形状が変動してしまい、読み取り精度が低下するという問題がある。そこで、この問題を解決するために、該特許文献では、レーザ発信器で生成された発光エネルギーを、決められた時間だけ蓄積させる蓄積段階と、前記蓄積段階で蓄積された発光エネルギーを瞬時に放出してパルス発光させる発光段階と、前記発光段階と次回の前記蓄積段階までの間、前記レーザ発振器で発生された発光エネルギーを放出し続ける継続放出段階とを設けることを提案している。これにより、パルス周波数を高めてもパルス列を構成する各パルス光の強さを一定に維持することができるようにしている。
【０００６】
また、特許文献２では次のようなことが書かれている。ＢＣＡマークを設ける光情報記録媒体には、記録方式や材料の違いにより、種々のものが存在するが、その特性により反射率が異なっており、その違いは記録前後のコントラストに反映されるので、そのまま記録再生における光ディスクの信号特性に影響する。しかし、ＢＣＡは読取の最初に再生する領域であるため、ドライブでは媒体の違いに応じた再生条件を設定することができず、そのため、光情報記録媒体の種類に応じてＢＣＡ情報を記録するための最適条件を決める必要があるという問題がある。そこで、この問題を解決するために、該特許文献では、ＢＣＡより内側にＢＣＡ記録条件を設定するためのテスト領域を設けることを提案している。また、同特許文献では、ＢＣＡマークを形成する際に、レーザ光をパルス分割して露光することにより、ＢＣＡ情報におけるマーク形状の制御をきめ細かく行い、再生信号の歪が無く、且つ、大きな再生信号を得ることができるようにしている。
【０００７】
さらに、特許文献３では次のようなことが書かれている。２層の記録層を有する光情報記録媒体において、レーザによるＢＣＡマークを一方の層に形成した場合、もう一方の層の反射膜にもダメージを与えるという問題もある。この問題を解決するために、該特許文献では、バーコード状マークを追記した１つの情報記録層を含む複数の情報記録層を有する再生型記録媒体において、前記１つの情報記録層以外の他の情報記録層の材料の熱伝率を前記１つの情報記録層の材料の熱伝導率に対して１．５倍以上に設定することを提案している。これにより、残りの情報記録層へ加工の痕跡が残ることを防止できるとしている。
【特許文献１】特開１１−２２４４３４号公報
【特許文献２】特開２００６−１３４３９３号公報
【特許文献３】特開２００５−１９６９４０号公報
【発明の開示】
【発明が解決しようとする課題】
【０００８】
本発明者らは、レーザ光を用いたバーコード状のＢＣＡマークの形成方法についてさらに検討を進めていく過程で、これらの先行技術では開示されていない課題があることを見出した。
すなわち、表面にスタンパにてトラックが形成された光ディスクに、その最内周部の複数のトラックに跨って、ＹＡＧレーザや半導体レーザなどの高出力レーザにより該光ディスクの反射層を選択的に溶融除去する、または記録層に記録を行うことにより、半径方向に沿ったバーコード状のマークを形成する際、該バーコード状のマークの書始め部分が、設計通りの形状にならず、拡大して記録されてしまい、その結果、特性及び信頼性に悪影響を及ぼすことになることが判明した。
【０００９】
本発明は、以上のような事情に鑑みてなされたものであって、バーコード状のマークの書始め部分の形状の拡大を防止し、所望の形状を有するＢＣＡマークを形成する方法を提供することを目的とするものである。
【課題を解決するための手段】
【００１０】
本発明者は、上記目的を達成すべく鋭意研究を重ねた結果、書き始め部分の形状の拡大は、レーザの出射初めにはジャイアントパルスと呼ばれる過剰なエネルギーの放出、及び／又はディスクスピンドルモータやヘッドのステージモータのトルク等による、記録装置の稼働部分の動きだしの遅れにより、設定条件に比べ大きな熱量がかかってしまい、そのためにマークが過剰に大きくなり、所望のバーコード幅よりも広い幅となってしまうことを見出した。さらには書き始めの部分であるため、マーク形成時に発生する応力の逃げ場が無く、その応力によって、光透過層が剥離したり、反射層が余計に除去されてしまい、結果として光ディスクの特性及び信頼性に悪影響を及ぼすことも見出した。
【００１１】
本発明は、これらの知見に基づいて完成に至ったものであり、記録初めの設定条件を一定レベル低下させるステップを導入することにより記録初めにおける前記問題を解決するものであって、以下の発明を提供するものである。
［１］バーストカッティングエリアを有する光ディスクを回転させながら記録用レーザ光を照射して、前記バーストカッティングエリアに前記光ディスクの半径方向に延在するバーコード状のマークを記録する方法において、バーコード状のマークの記録開始時の記録用レーザ光の照射エネルギーを、該マークの記録中の記録用レーザ光の照射エネルギーよりも小さくすることを特徴とする光ディスクへのバーコード状マークの記録方法。
［２］記録用レーザ光の照射エネルギーを記録開始時から段階的に大きくしていくことを特徴とする請求項１に記載の光ディスクへのバーコード状マークの記録方法。
［３］バーストカッティングエリアを有しており、該バーストカッティングエリアにバーコード状のマークが形成されている光ディスクにおいて、前記マークは、記録開始時の記録用レーザ光の照射エネルギーを、記録中の記録用レーザ光の照射エネルギーよりも小さくして形成されていることを特徴とする光ディスク。
【発明の効果】
【００１２】
本発明では、記録開始時の記録用レーザ光の照射エネルギーを、記録中の照射エネルギーよりも小さくすることにより、記録光の最初の照射による過剰な記録、光透過層の剥離や反射層の余計な部分の除去を防止することができるので、光ディスクの特性及び信頼性に悪影響を及ぼさないＢＣＡマークの記録が可能となる。
【発明を実施するための最良の形態】
【００１３】
以下、本発明の光ディスクのＢＣＡへのバーコード状のマークの記録方法について、ブルーレイディスク（ＢＤ−Ｒ）の実施形態を用いて説明する。しかし、本発明の光ディスクは、本実施形態のＢＤ−Ｒに限定されるものではなく、ＣＤ、ＤＶＤ−ＲＯＭに代表される再生専用型、ＣＤ−Ｒ、ＤＶＤ−Ｒに代表される追記型、ＣＤ−ＲＷ、ＤＶＤ−ＲＷ／ＲＡＭに代表される書き換え型、或いは追記型などでみられる複数の記録層を有する光ディスク等にも適用できるものである。
【００１４】
図１は、本発明の光ディスク１０の全体構造を示す平面図であり、図２は、内部構造の概要を説明するための上記図１における破線で囲まれた領域を示す部分拡大断面図である。
図１に示すように、本実施形態の光ディスク１０は、中心孔５を有し、その一方の主面側には、内周側に副情報記録領域（バーストカッティングエリア）１が設けられ、外周側に主情報記録領域３が設けられている。該副情報記録領域１内には、ＢＣＡマーク４が形成されている。前記副情報記録領域１と前記主情報記録領域３との間には中間領域２があり、その用途は限定されるものではなく、ユーザが自由に使用できる領域であっても、或いは再生専用領域であってよく、具体的には、例えば、グルーブを有さないミラー領域としたり、或いはグルーブを設けた領域としたりすることができる。
【００１５】
前記副情報記録領域１、中間領域２、及び主情報記録領域３は、図２に示すとおり、一方の主面に螺旋状の案内溝１２が形成された厚さ約１．１ｍｍの円板状の基板１１に設けられており、該基板１１の前記主面上に、レーザ光を反射する反射層１３と光吸収物質を含む記録層１４と、保護層１５と、必要に応じて設けられる接着剤層１６と、厚さ約０．１ｍｍの光透過層１７と、をこの順に有し、前記光反射層１３の前記基板１１の溝１２が形成された主面と接する側とは反対側の表面には、前記基板１１の溝１２に対応するように前記基板１１の溝１２と等しいトラックピッチＴｒＢ＝０．３２μｍで螺旋状に形成されたグルーブ１３ｂと、該グルーブ１３ｂに隣接するランド１３ａとが形成されている。
前記主情報記録領域３に記録情報に基づいて波長４００〜４２０ｎｍ（例えば４０５ｎｍ）のレーザ光を照射することにより、前記記録層１４に光学的に読み取り可能な主情報が記録される。
【００１６】
本発明におけるバーコード状のマークは、図３に示すとおり、それぞれ光ディスクの半径方向に沿って延びており、前記特許文献１に記載された、図４に示すようなレーザ記録装置を用いて形成される。
図５は、バーコード状のＢＣＡマークの形成方法を模式的に示す図である。図５に示すとおり、バーコード状のマークは、ディスクを回転させながら、内周側からレーザを照射して形成されるが、ジャイアントパルスや、ディスクスピンドルモータやヘッドのステージモータのトルクによる動き出しの遅れなどによると思われる、記録開始の部分の極大化が発生する。
本発明では、この記録初めの極大化を防止するために、記録初めの照射エネルギーを一定レベル低下させる入れるステップを導入するものである。
【００１７】
記録用レーザ光の照射エネルギーは、
照射エネルギー∝（レーザパワー×照射時間）／光ディスクの回転数
で定義される。
本発明では、バーコード状のマークの記録初めの照射エネルギーを、記録中の照射エネルギーよりも小さくするものであるが、該照射エネルギーの調整は、レーザパワー、照射時間、又はディスクの回転数を調整することによって可能となる。
本発明において、記録初めの照射エネルギーを、記録中の照射エネルギーよりも小さくしたのち、記録中の照射エネルギーまで大きくする方法としては、図６（ａ）に示すとおり、段階的に高めても、或いは、図６（ｂ）に示すように２段階で高めてもよい。さらには、図６（ｃ）に示すように記録中の照射エネルギーを最大の照射エネルギーよりも低くなるようにする、或いは、図６（ｄ）に示すように記録終了前の照射エネルギーを小さくする等、記録の状態に合わせて照射エネルギーを可変にしても良い。なお、図６は、照射エネルギーの状態を模式的に示すもので、記録用レーザ光のパルス波形を示すものではない。
【００１８】
変化させる照射エネルギーの範囲及びそのステップ数や長さは、記録装置の特性と記録を行うディスクの感度によって決定される。
調整するレーザパワーの範囲は、記録中のレーザパワーに対して、５０％〜１００％であり、好ましくは７０％〜８５％の範囲である。
また、調整する照射時間の範囲は、記録中の照射時間に対して、７０％〜１００％であり、好ましくは８０％〜９０％の範囲である。
さらに、調整するディスクの回転数の範囲は、記録中のディスク回転数に対して１倍〜３倍であり、好ましくは１．５倍〜２倍の範囲である。
【００１９】
本発明において、上記基板１１としては、従来の光情報記録媒体の基板材料として用いられている各種の材料を任意に選択して使用することができる。具体的には、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィン、ポリエステル樹脂、アルミニウム等の金属、ガラス等を挙げることができ、必要によりこれらを併用してもよい。上記材料の中では、成型性、耐湿性、寸法安定性及び低価格等の点から熱可塑性樹脂が好ましく、ポリカーボネートが特に好ましい。
これらの樹脂を用いた場合には、射出成形等の方法で所定の形状（光ディスクなら円板状）に基板１１を作成することが好ましい。また、上記基板１１の厚さは０．９〜１．１ｍｍの範囲とすることが好ましい。また、これに限るものではなく、例えば紫外線硬化性樹脂を用いて、基台上に塗布し塗膜を硬化させて用いることもできる。
【００２０】
図２に示す案内溝１２によって形成される凹凸が、前記のグルーブ１３ｂ及びランド１３ａを形成するものであるが、この案内溝１２は、前記基板１１の射出成型に用いられる金型内に、一方の主面に前記案内溝１２とは逆パターンの螺旋状の凸条の微細加工が施されたスタンパと呼ばれる型板を配置して前記基板１１の射出成型時に同時に形成されることが好ましい。
【００２１】
本発明における反射層１３は、データの記録および／または再生用のレーザ光を反射させるものであり、レーザ光に対する反射率を高めたり、記録再生特性を改良する機能を付与するために、基板１１と記録層１４との間に設けられるものであって、例えば蒸着法、イオンプレーティング法、スパッタリング法、等により前記基板１１の溝１２が形成された面上に形成される。中でも、量産性、コストの面からスパッタリング法が特に好ましい。
【００２２】
上記反射層１３を構成する材料としては、通常のブルーレイディスクにおいて好ましく用いられる材料であればよく、Ａｕ、Ａｌ、Ａｇ、ＣｕあるいはＰｄ等の金属膜、これらの金属の合金膜あるいはこれらの金属に微量成分が添加された合金膜が好ましく用いられる。
また、Ａｇに対し、例えば、Ａｕ、Ａｌ、Ｃｕ、Ｔｉ、Ｃｒ、Ｎｉ、Ｔａ、Ｐｄ、Ｍｇ、Ｈｆ、Ｖ、Ｎｂ、Ｒｕ、Ｗ、Ｍｎ、Ｒｅ、Ｆｅ、Ｃｏ、Ｒｈ、Ｉｒ、Ｉｎ、Ｚｎ、Ｃｄ、Ｇａ、Ｉｎ、Ｓｉ、Ｇｅ、Ｔｅ、Ｐｂ、Ｐｏ、Ｓｎ、Ｂｉ、及び希土類金属等の元素を合金として含有させることにより、高い反射率、良好なＢＣＡ記録感度、良好な保存安定性等が得られる。
【００２３】
本発明において、上記記録層１４としては、追記型や書き換え型等のタイプ別に様々なものがある。また、追記型においても有機色素を用いた記録層や無機材料を用いた記録層がある。
【００２４】
まず、記録層１４として有機色素を用いたものについて説明する。記録層１４に用いられる有機色素としては、フタロシアニン色素、シアニン色素、アゾ系色素等が好ましく、例えば、化学式１に示すアゾ色素又は化学式２に示すシアニン色素を結合剤等と共に例えばＴＦＰ（テトラフルオロプロパノール）等の溶剤に溶解して塗布液を調整し、次いで、この塗布液を、上記反射層を介してスピンコート法やスクリーン印刷法等により塗布して塗膜を形成した後、例えば温度８０℃で３０分間程度乾燥することにより形成することが好ましい。
【００２５】
【化１】
2010015637.tif 000003
（式中、Ａ及びＡ′は、窒素原子、酸素原子、硫黄原子、セレン原子及びテルル原子から選ばれるヘテロ原子を１又は複数含んでなる、互いに同じか異なる複素環を表わし、Ｒ２１乃至Ｒ２４は、それぞれ独立に、水素原子又は置換基を表わし、Ｙ２１、Ｙ２２は周期律表における第１６族の元素から選ばれる互いに同じか異なるヘテロ原子を表わす。）
【００２６】
【化２】
2010015637.tif 000004
（式中、Φ＋及びφは、それぞれイドレニン環残基、ベンゾインドレニン環残基又はジベンゾインドレニン環残基を表し、Ｌはモノ又はジカルボシアニン色素を形成するための連結基を表し、Ｘ−は陰イオンを表し、ｍは０又は１の整数である。）
【００２７】
また、本発明において、記録層１４として無機材料で構成された光吸収物質を用いても良い。このような無機材料としては、ＩｎＡｇＳｂＴｅ、ＴｅＧｅＳｂ、Ｔｅ−Ｐｄ、Ｓｉ−Ｃｕ、Ｇｅ−Ｂｉ等が用いられる。無機材料系の記録層はこれらの材料を蒸着またはスパッタリング等で成膜することによって形成される。また、書き換え型の光ディスクでは、記録層１４として、相変化型の材料が用いられる。このような材料としては、ＩｎＡｇＳｂＴｅ、ＴｅＧｅＳｂがある。これらの材料は上記無機材料系の記録層と同様に蒸着またはスパッタリング等で成膜することによって形成される。
【００２８】
本発明において、上記保護層１５は、上記記録層１４と後述する光透過層１７との間に、記録特性等の調整や接着性向上あるいは記録層１４の保護等を目的として形成されることが好ましい。
上記保護層１５としては、ＳｉＯ２、ＺｎＳ−ＳｉＯ２、Ｎｂ２Ｏ５−Ａｌ２Ｏ３等からなる透明な膜が好ましく、例えば蒸着法、イオンプレーティング法、スパッタリング法、等により前記光記録層１４が形成された面上に形成されることが好ましい。中でも、量産性、コストの面からスパッタリング法が特に好ましい。
【００２９】
本発明において、接着剤層１６は、次に述べる光透過層１７にシート状のものを用いた場合に必要となり、密着性を向上させるために形成される任意の層である。
このような接着剤層１６としては、エポキシ系その他の透明な反応性硬化樹脂、もしくは紫外線硬化性の透明な樹脂を主成分とするものが好ましく、スピンコート法やスクリーン印刷法等の手段により前記保護層１５上及び／又は後述する厚さ約０．１ｍｍのシート状の光透過層１７の下面に塗布した後、前記基板１１の保護層１５と前記シート状の光透過層１７とが接着剤層１６により接合され、厚さ約１．２ｍｍの光ディスクが得られる。
【００３０】
本発明において、上記光透過層１７としては、透明な樹脂からなるものが好ましい。より具体的には、例えばポリカーボネート樹脂、アクリル系樹脂、等の光透過性の良好な樹脂からなるシートを用いるか、或いはこれらの樹脂を塗布して光透過層を形成することが好ましい。
上記光透過層１７の厚みは通常４００ｎｍ〜４２０ｎｍ付近の波長のレーザ光が照射されて読み出しされるように構成されるために、通常０．１ｍｍであることが好ましい。
【実施例】
【００３１】
以下、本発明を実施例によってさらに具体的に説明するが、本発明はこれら実施例により何ら限定されるものではない。今回の実施例では有機色素を用いた記録型ディスクを使用した。
〈基板の製造〉
ガラス原盤上にスピンコート法によってフォトレジスト（感光剤）を所定の厚さで塗布してレジスト膜を形成し、カッティング装置のレーザ光により所定の露光幅寸法となるように露光した後、得られたガラス原盤上に現像液を滴下し、現像処理して、基板の溝に対応した凹凸のレジストパターンを形成した。
次に、このガラス原盤上にめっき処理によりニッケルを析出させ、これを剥離し、外形をディスク形状にトリミングしてスタンパを得た。
次に、このスタンパを射出成型装置のキャビティ内にセットし、キャビティ内にポリカーボネート樹脂を注入して、一方の主面に、螺旋状の案内溝を有する基板を得た。
【００３２】
〈光反射層、記録層、保護層及び光透過層の形成〉
前記基板の螺旋状の溝が形成された主面上にスパッタリング装置により、ターゲット材料として、Ａｇ合金を用いて、光反射層を形成した。
次に、該基板上に前記化学式１に示すアゾ系の有機色素を含有する色素溶液をスピンコート法により塗布して記録層を形成した。
さらに、この基板上にスパッタ装置を用いてＺｎＳ−ＳｉＯ２をスパッタして、保護膜を形成した。
最後に、この基板上にアクリル樹脂を主成分とする紫外線硬化性の接着剤を塗布した後、この基板上に厚さ０．１ｍｍのポリカーボネート樹脂製のディスク形のシートを貼り合わせ、紫外線を照射して前記接着剤を硬化させて光透過層を形成し、厚さ約１．２ｍｍの光ディスクを得た。
【００３３】
〈ＢＣＡマークの形成〉
（比較例）
ＢＣＡを記録する光ディスクの前記ＢＣＡ相当領域に、レーザ波長８１０ｎｍ、ビーム径約１μｍ×約３０μｍを有するＢＣＡ用レーザ記録装置にて、レーザパワー５０００ｍＷ、レーザ照射時間２．３３ｕｓ、ディスク回転数１０００ｒｐｍ、半径方向のビーム送り量１０μｍ、の条件で、周方向の幅が約１２μｍのＢＣＡマーク４を形成した。
図７の写真は、その結果を撮影した顕微鏡写真である。写真から明らかなように、記録初めの部分で極大化、及び部分的な光透過層の剥離の発生が観察された。
【００３４】
（実施例１）
上記比較例において、記録開始時のレーザパワーを４０００ｍＷとし、記録開始後、２回転記録した後に５０００ｍＷに戻した以外は比較例と同様にして、ＢＣＡマーク４を形成した。
図８の写真は、本実施例の結果を撮影した顕微鏡写真である。
写真から明らかなように、記録初めの部分で極大化、及び部分的な光透過層の剥離は観察されず、設計とおりのバーコード状のマークを形成することができた。
【００３５】
（実施例２）
上記実施例１において、記録中のディスク回転数を１０００ｒｐｍとし、記録終了前、２回転分記録を残した時に１２００ｒｐｍにディスク回転数を上げたこと以外は実施例１と同様にして、ＢＣＡマーク４を形成した。図９の写真は上記比較例における記録終わりの部分を撮影した顕微鏡写真である。また、図１０の写真は本実施例における記録終わりの部分を撮影した顕微鏡写真である。比較例ではレーザパワー５０００ｍＷ、ディスク回転数１０００ｒｐｍ、レーザ照射時間２．３３ｕｓを保持した状態で書き終わりまで記録したところ、書き終わりの部分に反射層の溶融が発生した。本実施例では、記録終了前にディスク回転数を上げて照射エネルギーを小さくしたため、書き終わりの部分に反射層の溶融が発生せず、設計とおりのバーコード状のマークを形成することができた。
【図面の簡単な説明】
【００３６】
【図１】バーストカッティングエリアを有する光ディスクの全体構造を示す平面図
【図２】バーストカッティングエリアを有する光ディスクの内部構造を示す部分拡大断面図
【図３】バーコード状のマークを示す模式図
【図４】バーコード状のマーク形成用のレーザ記録装置の一例を示す図
【図５】バーコード状のマークの形成方法を模式的に示す図
【図６】本発明における照射エネルギーの状態を模式的に示す図
【図７】比較例におけるバーコード状のマークの記録結果を示す顕微鏡写真
【図８】本発明におけるバーコード状のマークの記録結果を示す顕微鏡写真
【図９】比較例におけるバーコード状のマークの書き終わり部分の記録結果を示す顕微鏡写真
【図１０】本発明におけるバーコード状のマークの書き終わり部分の記録結果を示す顕微鏡写真
【符号の説明】
【００３７】
１：副情報記録領域（バーストカッティングエリア）
２：中間領域
３：主情報記録領域
４：ＢＣＡマーク
５：中心孔
１０：光ディスク
１１：基板
１２：案内溝
１３：反射層
１３ａ：ランド
１３ｂ：グルーブ
１４：記録層
１５：保護層
１６：接着剤層
１７：光透過層
【図１】
2010015637.tif 000005
【図２】
2010015637.tif 000006
【図３】
2010015637.tif 000007
【図４】
2010015637.tif 000008
【図５】
2010015637.tif 000009
【図６】
2010015637.tif 000010
【図７】
2010015637.tif 000011
【図８】
2010015637.tif 000012
【図９】
2010015637.tif 000013
【図１０】
2010015637.tif 000014